(57)【要約】【課題】  事前に会議装置の予約や参加者への通知等の準備を行うことなく会議を開催することを可能とする呼制御装置を提供する。【解決手段】  呼制御装置は、会議を招集するための会議招集者装置と、会議に参加するための複数の会議参加者装置と、各々会議招集者装置及び複数の会議参加者装置を収容可能な複数の会議装置とを含む電話会議システムにおいて、会議招集者装置及び複数の会議参加者装置を会議装置に接続する。また、呼制御装置は、会議招集者装置が会議の開始直前に選択した空きの会議装置を会議参加待ち状態として状態設定を行う手段と（会議装置リダイレクト設定部２４）、会議の開始時刻に会議参加者装置から会議招集者装置への接続要求を参加待ち状態とした会議装置にリダイレクトする手段（会議装置リダイレクト部２６）とを有する。【選択図】      図１
2011211670.tif 000002
【特許請求の範囲】
【請求項１】
会議を招集するための会議招集者装置と、前記会議に参加するための複数の会議参加者装置と、各々前記会議招集者装置及び前記複数の会議参加者装置を収容可能な複数の会議装置とを含む電話会議システムにおいて、前記会議招集者装置及び前記複数の会議参加者装置を前記会議装置に接続する呼制御装置であって、
前記会議招集者装置が前記会議の開始直前に選択した空きの会議装置を会議参加待ち状態として状態設定を行う手段と、
前記会議の開始時刻に前記会議参加者装置から前記会議招集者装置への接続要求を前記参加待ち状態とした会議装置にリダイレクトする手段とを有することを特徴とする呼制御装置。
【請求項２】
前記複数の会議装置各々の使用状況と前記会議招集者装置及び前記会議参加者装置の状況とを管理するための会議装置使用状況表を含み、
前記会議装置にリダイレクトする手段は、前記会議装置使用状況表に登録された装置への呼を参加中の会議装置へとリダイレクトすることを特徴とする請求項１記載の呼制御装置。
【請求項３】
会議を招集するための会議招集者装置と、前記会議に参加するための複数の会議参加者装置と、各々前記会議招集者装置及び前記複数の会議参加者装置を収容可能な複数の会議装置と、前記会議招集者装置及び前記複数の会議参加者装置を前記会議装置に接続する呼制御装置とを含む電話会議システムであって、
前記呼制御装置が、前記会議招集者装置が前記会議の開始直前に選択した空きの会議装置を会議参加待ち状態として状態設定を行う手段と、前記会議の開始時刻に前記会議参加者装置から前記会議招集者装置への接続要求を前記参加待ち状態とした会議装置にリダイレクトする手段とを有することを特徴とする電話会議システム。
【請求項４】
前記呼制御装置が、前記複数の会議装置各々の使用状況と前記会議招集者装置及び前記会議参加者装置の状況とを管理するための会議装置使用状況表を含み、
前記会議装置にリダイレクトする手段が、前記会議装置使用状況表に登録された装置への呼を参加中の会議装置へとリダイレクトすることを特徴とする請求項３記載の電話会議システム。
【請求項５】
前記会議装置にリダイレクトされた会議参加者装置において、前記会議装置からの会議に接続するアナウンスの後に当該会議に参加をするか否か選択可能としたことを特徴とする請求項３または請求項４記載の電話会議システム。
【請求項６】
会議を招集するための会議招集者装置と、前記会議に参加するための複数の会議参加者装置と、各々前記会議招集者装置及び前記複数の会議参加者装置を収容可能な複数の会議装置と、前記会議招集者装置及び前記複数の会議参加者装置を前記会議装置に接続する呼制御装置とを含む電話会議システムに用いるリダイレクション会議参加方法であって、
前記呼制御装置が、前記会議招集者装置が前記会議の開始直前に選択した空きの会議装置を会議参加待ち状態として状態設定を行う処理と、前記会議の開始時刻に前記会議参加者装置から前記会議招集者装置への接続要求を前記参加待ち状態とした会議装置にリダイレクトする処理とを実行することを特徴とするリダイレクション会議参加方法。
【請求項７】
前記呼制御装置に、前記複数の会議装置各々の使用状況と前記会議招集者装置及び前記会議参加者装置の状況とを管理するための会議装置使用状況表を設け、
前記会議装置にリダイレクトする処理において、前記会議装置使用状況表に登録された装置への呼を参加中の会議装置へとリダイレクトすることを特徴とする請求項６記載のリダイレクション会議参加方法。
【請求項８】
前記会議装置にリダイレクトされた会議参加者装置において、前記会議装置からの会議に接続するアナウンスの後に当該会議に参加をするか否か選択可能としたことを特徴とする請求項６または請求項７記載のリダイレクション会議参加方法。
【発明の詳細な説明】
【技術分野】
【０００１】
本発明は呼制御装置、電話会議システム及びそれらに用いるリダイレクション会議参加方法に関し、特に会議招集者装置によって招集された会議への会議参加者装置の参加方法に関する。
【背景技術】
【０００２】
本発明に関連する電話会議システムは、図９に示すように、会議装置１０〜１ｍと、呼制御装置２と、会議招集者装置３と、会議参加者装置４０〜４ｎとから構成されている。
【０００３】
会議装置１０〜１ｍは、会議招集者装置３及び会議参加者装置４０〜４ｎとの音声通信機能を持ち、接続された会議招集者装置３の音声と複数の会議参加者装置４０〜４ｎの音声とをミキシングすることができる。また、会議装置１０〜１ｍは、呼制御装置２と連動して会議の制御機能を提供する。さらに、会議装置１０〜１ｍは、会議接続に関連するアナウンスやガイダンスを会議参加者装置４０〜４ｎに聞かせる機能も有する。
【０００４】
呼制御装置２は、会議装置１０〜１ｍ、会議招集者装置３、会議参加者装置４０〜４ｎ、及びそのほかの一般的な音声通話装置に対して音声通話を接続するための呼制御信号を中継する機能を提供する。
【０００５】
会議招集者装置３は、汎用的な音声通信装置であり、単体の音声通信装置だけでなく，ゲートウェイ装置のように呼制御装置管理下にある各種装置を含む。会議招集者装置３は、呼制御装置２と連動して他の音声通信装置と音声通話を実現することができる。会議招集者装置３と会議装置１０〜１ｍとが接続した場合は、会議装置１０〜１ｍに接続しているほかの会議参加者装置４０〜４ｎと会議通話が可能となる。会議招集者装置３は、会議の開催、終了を含む会議制御機能が使用可能である。
【０００６】
会議参加者装置４０〜４ｎも、会議招集者装置３と同様に、汎用的な音声通信装置であり、単体の音声通信装置だけでなく，ゲートウェイ装置のように呼制御装置管理下にある各種装置を含む。会議参加者装置４０〜４ｎは、呼制御装置２と連動して他の音声通信装置と音声通話を実現することができる。会議参加者装置４０〜４ｎと会議装置１０〜１ｍとが接続した場合は、会議装置１０〜１ｍに接続しているほかの音声通信装置と会議通話が可能となる。会議参加者装置４０〜４ｎは、会議の開催、終了を含まない会議制御機能のみ使用可能である。
【０００７】
会議招集者は、会議に先立ち会議招集者装置３を用いて会議装置１０〜１ｍを予約し、その後、会議参加者に何らかの手段で接続方法を通知する。その後、会議招集者は、指定した時刻に会議招集装置３を用いて予約した会議装置１０に接続を行う。同様に、会議招集者から接続方法が通知された会議参加者は、会議参加装置４０〜４ｎを介して会議装置１０へ接続する。
【０００８】
このようにして、本発明に関連する電話会議システムでは、すべての参加者が会議装置１０を介して通話可能となる。尚、上記のような電話会議システムとしては、下記の特許文献１に記載された通信会議システムがある。
【先行技術文献】
【特許文献】
【０００９】
【特許文献１】特開平０８−２１４０７４号公報
【発明の概要】
【発明が解決しようとする課題】
【００１０】
しかしながら、上述した本発明に関連する電話会議システムでは、会議装置を予約し、会議参加者に対して予め接続方法の通知が必要であるため、会議開始までに準備時間が必要になるという問題がある。
【００１１】
また、本発明に関連する電話会議システムでは、会議招集者装置が会議装置に接続してしまうと、会議招集者装置が占有されてしまうため、会議参加者装置から会議招集者に連絡をとる手段が他に必要になるという問題がある。
【００１２】
つまり、本発明に関連する電話会議システムでは、会議招集者が参加者を招集したり、会議参加者が事前に予約され、通知されたアクセス先に参加する必要がある。会議招集者が参加者を招集する方式は、招集者の手間が多く、多数の参加者がある場合に現実的ではなくなる。
【００１３】
また、会議参加者が事前に通知されたアクセス先に参加する方式は、事前に会議装置の予約や参加者への通知等の準備が必要になる点で、会議開催までに時間がかかるという問題がある。
【００１４】
そこで、本発明の目的は上記の問題点を解消し、事前に会議装置の予約や参加者への通知等の準備を行うことなく会議を開催することができる呼制御装置、電話会議システム及びそれらに用いるリダイレクション会議参加方法を提供することにある。
【課題を解決するための手段】
【００１５】
本発明による呼制御装置は、会議を招集するための会議招集者装置と、前記会議に参加するための複数の会議参加者装置と、各々前記会議招集者装置及び前記複数の会議参加者装置を収容可能な複数の会議装置とを含む電話会議システムにおいて、前記会議招集者装置及び前記複数の会議参加者装置を前記会議装置に接続する呼制御装置であって、
前記会議招集者装置が前記会議の開始直前に選択した空きの会議装置を会議参加待ち状態として状態設定を行う手段と、
前記会議の開始時刻に前記会議参加者装置から前記会議招集者装置への接続要求を前記参加待ち状態とした会議装置にリダイレクトする手段とを備えている。
【００１６】
本発明による電話会議システムは、会議を招集するための会議招集者装置と、前記会議に参加するための複数の会議参加者装置と、各々前記会議招集者装置及び前記複数の会議参加者装置を収容可能な複数の会議装置と、前記会議招集者装置及び前記複数の会議参加者装置を前記会議装置に接続する呼制御装置とを含む電話会議システムであって、
前記呼制御装置が、前記会議招集者装置が前記会議の開始直前に選択した空きの会議装置を会議参加待ち状態として状態設定を行う手段と、前記会議の開始時刻に前記会議参加者装置から前記会議招集者装置への接続要求を前記参加待ち状態とした会議装置にリダイレクトする手段とを備えている。
【００１７】
本発明によるリダイレクション会議参加方法は、会議を招集するための会議招集者装置と、前記会議に参加するための複数の会議参加者装置と、各々前記会議招集者装置及び前記複数の会議参加者装置を収容可能な複数の会議装置と、前記会議招集者装置及び前記複数の会議参加者装置を前記会議装置に接続する呼制御装置とを含む電話会議システムに用いるリダイレクション会議参加方法であって、
前記呼制御装置が、前記会議招集者装置が前記会議の開始直前に選択した空きの会議装置を会議参加待ち状態として状態設定を行う処理と、前記会議の開始時刻に前記会議参加者装置から前記会議招集者装置への接続要求を前記参加待ち状態とした会議装置にリダイレクトする処理とを実行している。
【発明の効果】
【００１８】
本発明は、上記のような構成及び動作とすることで、事前に会議装置の予約や参加者への通知等の準備を行うことなく会議を開催することができるという効果が得られる。
【図面の簡単な説明】
【００１９】
【図１】本発明の第１の実施の形態による呼制御装置の構成例を示すブロック図である。
【図２】本発明の第１の実施の形態による電話会議システムの構成例を示すブロック図である。
【図３】図２に示す会議装置使用状況表の構成例を示す図である。
【図４】本発明の第１の実施の形態による電話会議システムの動作の概要を示すシーケンスチャートである。
【図５】本発明の第１の実施の形態による電話会議システムにおける呼制御装置の動作を示すシーケンスチャートである。
【図６】本発明の第１の実施の形態による電話会議システムにおける呼制御装置の動作を示すシーケンスチャートである。
【図７】本発明の第１の実施の形態による電話会議システムの状態遷移を示す状態遷移図である。
【図８】本発明の第１の実施の形態による電話会議システムの状態遷移を示す状態遷移図である。
【図９】本発明に関連する電話会議システムの構成例を示すブロック図である。
【発明を実施するための形態】
【００２０】
次に、本発明の実施の形態について図面を参照して説明する。まず、本発明による電話会議システムの概要について説明する。本発明による電話会議システムは、参加者が会議招集者のアクセス先を呼び出すことで、容易に電話会議に参加できることを特徴とする会議方式である。
【００２１】
本発明による電話会議システムでは、複数の参加者を収容可能な会議装置として、十分な数が用意されているものとする。会議招集者は、事前に会議開始時刻のみを会議参加者に通知し、会議開始直前に会議招集者装置を介してランダムに空きの会議装置を選択し、会議招集者として会議参加待ち状態としておくために呼制御装置に状態設定を行う。
【００２２】
会議参加者は、会議参加者装置を介して指定時刻に会議招集者装置に接続を試みることで、呼制御装置によって会議招集者装置が参加待ち状態とした会議装置にリダイレクトされる。
【００２３】
リダイレクトされた会議参加者装置は、会議に接続するアナウンスを聞いた後に会議に参加をするか否か選択する。会議参加を選択した会議参加者装置は、会議装置につなぎこまれることにより、会議参加状態となる。
【００２４】
図１は本発明の第１の実施の形態による呼制御装置の構成例を示すブロック図である。図１において、呼制御装置２は、電話受付部２１と、会議使用状況確認部２２と、会議装置接続部２３と、会議装置リダイレクト設定部２４と、会議中確認部２５と、会議装置リダイレクト部２６と、会議装置使用状況表２７とを備えている。
【００２５】
電話受付部２１は、会議装置や会議招集者装置等への接続要求を受付ける。会議使用状況確認部２２は、接続要求がある場合に、会議装置使用状況表２７を参照して会議装置使用状況（どの会議装置が空いているかどうかの状況）を確認する。会議装置使用状況表２７には、会議装置の情報と会議参加装置（会議招集者装置及び会議参加者装置）の情報とが対応付けられて格納されている。
【００２６】
会議装置接続部２３は、接続要求を送出した会議招集者装置を空きと判断された会議装置に接続する。会議装置リダイレクト設定部２４は、会議招集者装置が会議装置の下で会議通話状態となり、会議状態となったことが通知されてくると、会議招集者装置への呼を当該会議装置へリダイレクトするように設定する。
【００２７】
会議中確認部２５は、会議参加者装置から会議招集者装置へ電話があった場合に、会議招集者装置が会議中であるかどうかを確認する。会議装置リダイレクト部２６は、会議招集者装置が会議中であることが確認されると、当該会議参加者装置を会議装置へリダイレクトする。
【００２８】
尚、呼制御装置２において、電話受付部２１、会議使用状況確認部２２、会議装置接続部２３、会議装置リダイレクト設定部２４、会議中確認部２５、会議装置リダイレクト部２６各々の処理（上述した処理）は、例えばＣＰＵ（中央処理装置）がプログラムを実行することでも実現可能である。
【００２９】
図２は本発明の第１の実施の形態による電話会議システムの構成例を示すブロック図である。図２において、本発明の第１の実施の形態による電話会議システムは、会議装置１０〜１ｍと、呼制御装置２と、会議招集者装置３と、会議参加者装置４０〜４ｎとから構成されている。
【００３０】
会議装置１０〜１ｍは、会議招集者装置３及び会議参加者装置４０〜４ｎとの音声通信機能を持ち、接続された会議招集者装置３からの音声と複数の会議参加者装置４０〜４ｎからの音声とをミキシングすることができる。また、会議装置１０〜１ｍは、呼制御装置２と連動して会議の制御機能を提供する。さらに、会議装置１０〜１ｍは、会議接続に関連するアナウンスやガイダンスを会議参加者装置４０〜４ｎに聞かせる機能も有する。
【００３１】
呼制御装置２は、会議装置１０〜１ｍ、会議招集者装置３、会議参加者装置４０〜４ｎ、及びそのほかの一般的な音声通話装置に対して音声通話を接続するための呼制御信号を中継する機能を提供する。
【００３２】
会議招集者装置３は、汎用的な音声通信装置であり、単体の音声通信装置だけでなく，ゲートウェイ装置のように呼制御装置管理下にある各種装置を含む。会議招集者装置３は、呼制御装置２と連動して他の音声通信装置と音声通話を実現することができる。
【００３３】
会議招集者装置３と会議装置１０〜１ｍとが接続した場合は、会議装置１０〜１ｍに接続しているほかの会議参加者装置４０〜４ｎとの間の会議通話が可能となる。会議招集者装置３は、会議の開催、終了を含む会議制御機能が使用可能である。
【００３４】
会議参加者装置４０〜４ｎも、会議招集者装置３と同様に、汎用的な音声通信装置であり、単体の音声通信装置だけでなく，ゲートウェイ装置のように呼制御装置管理下にある各種装置を含む。会議参加者装置４０〜４ｎは、呼制御装置２と連動して他の音声通信装置と音声通話を実現することができる。
【００３５】
会議参加者装置４０〜４ｎと会議装置１０〜１ｍとが接続した場合は、会議装置１０〜１ｍに接続しているほかの音声通信装置との間の会議通話が可能となる。会議参加者装置４０〜４ｎは、会議の開催、終了を含まない会議制御機能のみ使用可能である。
【００３６】
図３は図２に示す会議装置使用状況表２７の構成例を示す図である。会議装置使用状況表２７は、呼制御装置２が会議装置１０〜１ｍの使用状況（会議通話状況）と、会議招集者装置３及び会議参加者装置４０〜４ｎの状況とを管理するためのテーブルである。この会議装置使用状況表２７に登録された装置への呼は、参加中の会議装置へとリダイレクトされる。
【００３７】
図３において、会議装置使用状況表２７は、会議装置の情報（「１０，１１，・・・，１ｍ」）と、会議参加装置の情報（「３，４０，４１，・・・，４ｎ」、「空き」）とを対応付けて格納している。
【００３８】
図４は本発明の第１の実施の形態による電話会議システムの動作の概要を示すシーケンスチャートであり、図５及び図６は本発明の第１の実施の形態による電話会議システムにおける呼制御装置２の動作を示すシーケンスチャートである。これら図１〜図６を参照して本発明の第１の実施の形態による電話会議システムの動作について説明する。
【００３９】
会議開始に先立ち、会議招集者装置３は、呼制御装置２を介して、使用可能な会議装置１０〜１ｍからひとつの会議装置（ここでは会議装置１０）を選択して接続する。
【００４０】
この場合、会議招集者装置３が呼制御装置２に対して呼設定を送信すると（図４のａ１）、呼制御装置２は、使用可能な会議装置１０〜１ｍからひとつの会議装置（ここでは会議装置１０）を選択し、当該会議装置１０に呼設定を送信する（図４のａ２）。
【００４１】
会議装置１０がその呼設定を受付けて呼制御装置２に対して呼設定受付を送信すると（図４のａ３）、呼制御装置２は、その呼設定受付を会議招集者装置３に送信する（図４のａ４）。これによって、会議招集者装置３と会議装置１０との間で通話確立（会議）となる（図４のａ５）。
【００４２】
会議招集者装置３と接続した会議装置１０は、呼制御装置２に会議リダイレクト要求を通知することで（図４のａ６）、呼制御装置２は、会議招集者装置３宛の通信を会議装置１０にリダイレクトするように設定される。
【００４３】
会議時刻に、会議参加者装置４０が会議招集者装置３に通信要求（呼設定）を行うと（図４のａ７）、呼制御装置２は、その通信要求（呼設定）を会議招集者装置３の接続先である会議装置１０に対する接続（呼設定）にリダイレクトする（図４のａ８）。
【００４４】
会議装置１０が呼設定を受付けて呼設定受付を呼制御装置２に送信すると（図４のａ９）、呼制御装置２は、会議参加者装置４０に対して呼設定受付を送信する（図４のａ１０）。
【００４５】
その後に、会議装置１０は、会議参加者装置４０へ会議招集者に関する情報等のガイダンスを流す（図４のａ１１）。
【００４６】
ガイダンスにしたがって会議参加者が会議への参加を選択し、会議参加者装置４０から呼制御装置２に選択信号（会議参加要求）を送信すると（図４のａ１２）、呼制御装置２は、その選択信号（会議参加要求）を会議招集者装置３の接続先である会議装置１０に送信する（図４のａ１３）。
【００４７】
会議装置１０が選択信号（会議参加要求）を受付けてファシリティ（会議参加受付応答）を呼制御装置２に送信すると（図４のａ１４）、呼制御装置２は、会議参加者装置４０に対してファシリティ（会議参加受付応答）を送信する（図４のａ１５）。
【００４８】
これによって、会議参加者装置４０と会議装置１０との間で通話確立（会議）となる（図４のａ１６）。最終的に、会議招集者装置３及び会議参加者装置４０は、会議装置１０を介して通話可能となる。
【００４９】
他の会議参加者装置４１〜４ｎも、上記と同様の接続処理を行うことで、すべての参加者（会議招集者装置３及び会議参加者装置４０〜４ｎ）が会議装置１０を介して通話可能となる。
【００５０】
次に、図１〜図３と図５と図６とを参照して呼制御装置２の処理動作について詳細に説明する。
【００５１】
会議招集者装置３が会議装置接続番号へ電話すると（図５のｂ１）、呼制御装置２では、電話受付部２１がその電話を受付け、会議装置使用状況確認部２２が会議装置１０〜１ｍの使用状況を確認する（この場合、会議装置１０が空きとする）（図５のｂ２）。
【００５２】
呼制御装置２は、会議装置接続部２３にて、空きであることが確認された会議装置１０に接続する（図５のｂ３）。会議装置１０がこの接続要求に応答すると（図５のｂ４）、呼制御装置２は、会議装置１０の接続要求に対する応答を会議招集者装置３に通知する。これによって、会議招集者装置３が会議装置１０の下で会議通話状態となる（図５のｂ５）。
【００５３】
会議装置１０は、会議招集者装置３との間で会議状態となったことを呼制御装置２に通知する（図５のｂ６）。呼制御装置２は、会議装置リダイレクト設定部２４にて、会議招集者装置３への呼を会議装置１０へリダイレクトするように設定する（図５のｂ７）。
【００５４】
続いて、会議参加者装置４０が会議招集者装置３へ電話すると（図６のｂ１１）、呼制御装置２は、会議中確認部２５にて会議招集者装置３が会議中であることを確認する（図６のｂ１２）。この場合、呼制御装置２は、会議中確認部２５にて会議招集者装置３が会議中であることが確認されるので、会議装置リダイレクト部２６にて、会議参加者装置４０からの電話を会議装置１０へリダイレクトする（図６のｂ１３）。
【００５５】
会議装置１０が会議参加者装置４０からの接続要求に応答すると（図６のｂ１４）、呼制御装置２は、会議装置１０の接続要求に対する応答を会議参加者装置４０に通知する。これによって、会議参加者装置４０が会議装置１０の下で通話状態となる（図６のｂ１５）。
【００５６】
会議参加者装置４０が会議参加の選択信号を送出すると（図６のｂ１６）、呼制御装置２は、会議参加者装置４０からの会議参加の選択信号を会議装置１０に通知する。会議装置１０が会議参加要求に応答すると（図６のｂ１７）、呼制御装置２は、会議装置１０の会議参加要求に対する応答を会議参加者装置４０に通知する。これによって、会議参加者装置４０が会議装置１０の下で会議通話状態となる（図６のｂ１８）。
【００５７】
図７及び図８は本発明の第１の実施の形態による電話会議システムの状態遷移を示す状態遷移図である。これら図１〜図４と図７と図８とを参照して本発明の第１の実施の形態による電話会議システムの状態遷移について説明する。
【００５８】
会議開始に先立ち、会議招集者装置３は、使用可能な会議装置１０〜１ｍから一つの会議装置（ここでは会議装置１０）を選択し、呼制御装置２を介して接続する（図４のａ１〜ａ５）。
【００５９】
この時、会議招集者装置３の状態遷移は図７に示す通りであり、空状態Ａ１から呼出中Ａ２を介して会議装置１０に接続することで、会議設定状態Ａ３に移行する。
【００６０】
また、会議設定状態Ａ３において、会議招集者装置３は、会議参加者の認証情報を設定することができ、図８に示すように、参加認証Ｂ６を行うことができる。さらに、会議招集者装置３は、会議参加希望者（会議参加者装置４０〜４ｎ）に聴取させる会議情報を設定することができ、図８に示すように、会議情報聴取Ｂ５を行うことができる。この後、会議招集者装置３は、会議参加状態Ａ４（図８の会議中Ｂ７）に移行する。
【００６１】
会議招集者装置３と接続した会議装置１０は、呼制御装置２に通知することで、呼制御装置２は、会議招集者装置３宛の通信を会議装置１０にリダイレクトするように設定する（図４のａ６）。
【００６２】
会議時刻に会議参加者装置４０が会議招集者装置３に通信要求を行うと、呼制御装置２は、その通信要求に対して会議招集者装置３の接続先である会議装置１０に対する接続にリダイレクトする（図４のａ７〜ａ１０）。会議装置１０は、会議参加者装置４０へ会議招集者に関する情報等のガイダンスを流す（図４のａ１１）。
【００６３】
ガイダンスにしたがって会議参加者装置４０が選択信号（図４のａ１２）を送信することで、会議参加者装置４０は、会議装置１０に接続する（図４のａ１３〜ａ１５）。最終的に、会議招集者装置３及び会議参加者装置４０は、会議装置１０を介して通話可能となる（図４のａ１６）。
【００６４】
他の会議参加者装置４１〜４ｎも、上記の会議参加者装置４０と同様の接続処理を行うことで、すべての参加者（会議招集者装置３及び会議参加者装置４０〜４ｎ）が会議装置１０を介して通話可能となる。
【００６５】
このように、本実施の形態では、会議招集者装置３が事前に会議装置１０〜１ｍの空きを確認する必要がないため、会議装置１０〜１ｍの予約が必要なくなる。
【００６６】
また、本実施の形態では、会議参加者装置４０〜４ｎが会議招集者装置３にアクセスすることで、会議装置１０にリダイレクトされるため、会議装置１０の接続先を事前に会議参加者装置４０〜４ｎに連絡する必要がなくなる。
【００６７】
よって、本実施の形態では、事前に会議装置の予約や参加者への通知等の準備を行うことなく会議を開催することができる。つまり、本実施の形態では、会議開催時刻を会議参加者装置４０〜４ｎに通知するだけで、会議開催を速やかに行うことができる。
【００６８】
さらに、本実施の形態では、会議招集者装置３に直接通信しようとした対向通信装置（会議参加者装置４０〜４ｎ）が自動的に会議招集者装置３の開催している会議にリダイレクトされるので、必要に応じて会議に自由参加することも可能となる。
【００６９】
尚、本発明は、基本的な音声会議システムに限らず、プレゼンスサービスと連動させることも可能である。会議参加者は、会議招集者のプレゼンス状態が会議開催中の場合、会議招集者にアクセスすることで会議に参加可能となることがわかる。
【００７０】
また、補助的な機能として、図４のａ６の処理において、会議招集者装置３から呼制御装置２に対して会議接続に対するアカウンティング要求を行うことも可能である。この場合、会議参加者装置４０〜４ｎは、事前に会議招集者が通知したアクセスコードを図４のａ１２の処理で正しく送信することが要求される。
【符号の説明】
【００７１】
２  呼制御装置
３  会議招集者装置
１０〜１ｍ  会議装置
２１  電話受付部
２２  会議使用状況確認部
２３  会議装置接続部
２４  会議装置リダイレクト設定部
２５  会議中確認部
２６  会議装置リダイレクト部
２７  会議装置使用状況表
４０〜４ｎ  会議参加者装置
【図１】
2011211670.tif 000003
【図２】
2011211670.tif 000004
【図３】
2011211670.tif 000005
【図４】
2011211670.tif 000006
【図５】
2011211670.tif 000007
【図６】
2011211670.tif 000008
【図７】
2011211670.tif 000009
【図８】
2011211670.tif 000010
【図９】
2011211670.tif 000011